(57)【要約】 【課題】指掛かり部の指滑りを防止し得る開口容易缶蓋のタブを提供する。【解決手段】蓋体１０のスコア１１によって囲まれる開口予定部１２外にリベット部１３によって固定される固定部２と、固定部２に対してスコア１１を越えて開口予定部１２に被さるように延びるタブ先端部３と、固定部２に対してタブ先端部３と反対方向に蓋体上面に沿って延びる把持部４とを備え、把持部４の後端部が開口操作時の指掛かり部５となる構成の開口容易缶蓋のタブにおいて、指掛かり部５裏面に滑り止め用スコア６を設けたことを特徴とする。【選択図】  図１
2007126157.tif 000002
【特許請求の範囲】
【請求項１】
蓋体に刻設されたスコアによって縁取られた開口予定部外にリベット部によって固定される固定部と、該固定部に対してスコアを越えて開口予定部内に延びるタブ先端部と、前記固定部に対して開口予定部と反対方向に延びる把持部とを備え、該把持部の後端が開口操作時の指掛かり部となる構成の開口容易缶蓋のタブにおいて、
前記指掛かり部裏面に滑り止め用凹凸部を設けたことを特徴とする開口容易缶蓋のタブ。
【請求項２】
滑り止め用凹凸部はスコアによって構成される請求項１に記載の開口容易缶蓋のタブ。
【請求項３】
把持部は指掛かり部を部分的に高くしたチップアップ構造となっていることを特徴とする請求項１または２に記載の開口容易缶蓋のタブ。
【請求項４】
蓋体に刻設されたスコアによって縁取られた開口予定部外にリベット部によって固定される固定部と、該固定部に対してスコアを越えて開口予定部内に延びるタブ先端部と、前記固定部に対して開口予定部と反対方向に延びる把持部とを備え、該把持部の後端が開口操作時の指掛かり部となる構成で、該指掛かり部裏面に滑り止め用スコアを設けた開口容易缶蓋のタブであって、
前記把持部は指掛かり部を部分的に高くしたチップアップ構造で、前記指掛かり部をチップアップ構造に成形する金型にスコア形成用の刃部を設け、指掛かり部の型成形と同時に指掛かり部裏面に滑り止め用スコアを刻設することを特徴とする開口容易缶蓋のタブの成形方法。
【発明の詳細な説明】
【技術分野】
【０００１】
本発明は、ビール等の飲用缶の開口容易缶蓋に用いられるタブに関し、特にステイオンタイプのタブおよびその成形方法に関する。
【背景技術】
【０００２】
従来のこの種のステイオンタイプのタブは、蓋体に刻設されたスコアによって縁取られた開口予定部外にリベット部によって固定される固定部と、固定部に対してスコアを越えて開口予定部内に延びるタブ先端部と、固定部に対して開口予定部と反対方向に延びる把持部とを備え、把持部の後端部が開口操作時の指掛かり部となっている。この指掛かり部に指を掛けて把持部を上方に持ち上げ、てこ作用によってタブ先端部によって開口予定部を押圧することにより、スコアを初期破断部から終端に向けて連続的に破断し、破断した開口片をヒンジ部にて屈曲させて缶内に折り込む構造となっていた。
【０００３】
しかし、タブは蓋体上面に沿って延びる平らな形状で、タブ後端の指掛かり部と蓋体上面の隙間も小さいために、持ち上げ初期には指が指掛かり部に僅かに引っ掛かる程度で、指が滑って持ち上げにくく、缶を開けづらい。特に、ビール等の冷えた飲料缶の場合、指掛かり部表面が結露して水滴が付着しているために、指が滑りやすく、指掛かり性が一層悪くなるという問題があった。
【０００４】
このような指掛かり性を改善する方法としては、たとえば、特許文献１に記載のように、開口補助部材を取り付けたものが提案されている。
この開口補助部材は、タブの把持部である指掛けリング上面に係止部を介して板状部を固定し、板状部の後端をタブの後端より高い位置で後方に突出させ、この突出部に指を掛けるようにして、タブを持ち上げやすい構造としたものである。また、突出部の突出方向先端面には、滑り止めのための凹凸が設けられている。
しかしながら、特許文献１に記載の構成では、基本的に、開口補助部材の分だけ部品点数が増大すると共に、開口補助部材を取り付ける工程も増大し、生産性が悪いという問題がある。
また、滑り止めのための凹凸が設けられているといっても、この凹凸が滑り止めとして有効なのは、突出部の先端面に指を押し当てて指先を突出部裏面に引っ掛けるまでの段階と思量され、指先が突出部の裏面に引っ掛かって持ち上げ始めると、力は突出部裏面との接触部に集中し、指先突出部先端面側は浮き気味となって滑り止めとして機能しない。
【０００５】
【特許文献１】特開２００３−２７６７３３号公報
【発明の開示】
【発明が解決しようとする課題】
【０００６】
本発明は上記した従来技術の課題を解決するためになされたもので、その目的とするところは、補助部材を用いることなく、指掛かり部の指滑りを効果的に防止し得る開口容易缶蓋のタブおよびその成形方法を提供することにある。
【課題を解決するための手段】
【０００７】
上記目的を達成するために、請求項１に係る発明は、蓋体に刻設されるスコアによって縁取られた開口予定部外にリベット部によって固定される固定部と、固定部に対してスコアを越えて開口予定部内に延びるタブ先端部と、固定部に対してタブ先端部と反対方向に蓋体上面に沿って延びる把持部とを備え、把持部の端部が開口操作時の指掛かり部となる構成の開口容易缶蓋のタブにおいて、指掛かり部裏面に滑り止め用凹凸部を設けたことを特徴とする。
請求項２に係る発明は、滑り止め用凹凸部をスコアによって構成したことを特徴とする。
請求項３に係る発明は、把持部は指掛かり部を部分的に高くしたチップアップ構造となっていることを特徴とする。
【０００８】
請求項４に係る発明は、蓋体に刻設されたスコアによって縁取られた開口予定部外にリベット部によって固定される固定部と、固定部に対してスコアを越えて開口予定部内に延びるタブ先端部と、固定部に対して開口予定部と反対方向に延びる把持部とを備え、把持部の後端が開口操作時の指掛かり部となる構成で、指掛かり部裏面に滑り止め用スコアを設けた開口容易缶蓋のタブであって、
前記把持部は指掛かり部を部分的に高くしたチップアップ構造で、前記指掛かり部をチップアップ構造に成形する金型にスコア形成用の刃部を設け、指掛かり部の型成形と同時に指掛かり部裏面に滑り止め用スコアを刻設することを特徴とする。
【発明の効果】
【０００９】
請求項１に係る発明によれば、指掛かり部裏面に滑り止め用凹凸を設けたので、開口時にタブを持ち上げる際に、結露によって水滴が付着しているような場合でも、指先が指掛かり部裏面の凹凸部に引っ掛かり、指滑りを抑制することができ、容易に開口することができる。
請求項２に係る発明によれば、滑り止め用凹凸部をスコアによって構成したので、凹凸の加工が容易となる。
請求項３に係る発明によれば、指掛かり部を部分的に高くしたチップアップ構造となっているので、滑り止め用凹凸部の構成と相俟って指掛かり性がより一層向上する。
【００１０】
請求項４に係る発明の開口容易缶蓋のタブの成形方法によれば、指掛かり部をチップアップ構造に成形する金型にスコア形成用の刃部を設け、指掛かり部の型成形と同時に指掛かり部裏面に滑り止め用スコアを刻設するようにしたので、特別な滑り止めの用スコアを成形する工程が不要で、簡単に加工することができる。
【発明を実施するための最良の形態】
【００１１】
以下に本発明を図示の実施の形態に基づいて詳細に説明する。
図１（Ａ）は、本発明の実施の形態に掛かるタブを備えた開口容易缶蓋を示している。
すなわち、この開口容易缶蓋１００は、スコア１１によって縁取られた開口予定部１２を備えた蓋体１０と、この蓋体１０の上面にリベット部１３によって固定されたスコア破断用のステイオンタイプのタブ１とを備えている。
蓋体１０は、円板状のパネル部１４と、このパネル部１４の周縁に環状溝１５を介して上方に立ち上がるチャックウォール部１６と、このチャックウォール部１６から外側に向かって延びて缶本体の巻締めフランジ（不図示）と共に巻き締められる巻締めカール部１７と、を備えている。開口予定部１２はパネル部１４の中央に突設されたリベット部１３付近から周縁に向けて舌状に延びる形状で、その周縁を縁取るスコア１１によって構成されている。パネル部１４には、スコア１１とタブ１を取り囲むように段差１８が設けられている。
【００１２】
タブ１は、蓋体１０の開口予定部１２外にリベット部１３によって固定される固定部２と、この固定部２に対してスコア１１を越えて開口予定部１２内に延びるタブ先端部３と、固定部２に対して開口予定部１２と反対方向に延びる把持部４とを備え、把持部４の後端部が開口操作時の指掛かり部５となっている。
タブ１は略小判形状で、平板状のタブ板部１０１の外周縁に、図１（Ｂ）に部分的に示すように、裏面側に折り返されたカール部１０２を全周的に設けて高剛性化が図られている。タブ１の外周は、互いにほぼ平行に直線的に延びる左右側辺部１ａ，１ｂと、左右側辺部１ａ，１ｂの前端部を連結する円弧状の前端辺部１ｃと、左右側辺部１ａ，１ｂの後端部を円弧状部１ｅ，１ｅを介して連結する直線状の後端辺部１ｄとを有している。タブ１の形状は小判形状に限定されるものではなく、たとえば左右側辺部が曲線状となる楕円形状等、他の形状でもよい。
固定部２はリベット部１３よって蓋体１０に固着される部分で、タブ１の前端辺部１ｃと後端辺部１ｄを二等分する中心線Ｎ上で前端辺部１ｃ側に片寄った部分に設けられる。固定部２には不図示のリベット孔が設けられ、蓋体１０から突設されるリベット部１３が差し込まれてリベット結合される。固定部２は蓋体１０上面に固着される部分がタブ板部１０１上面から一段くぼんだくぼみ面２１となっている。また、リベット部１３に対して後端辺部１ｄ側にはリベット部１３の後方と左右側方を囲むようにＵ字状あるいは円弧状に湾曲する形状の透孔２２が設けられている。
【００１３】
タブ先端部３は、固定部２より前方に位置する円弧状の前端辺部１ｃに沿った部分であり、カール部１０２によって高剛性化が図られ、スコア破断時に蓋体１０の開口予定部１２を下方に押圧する。
把持部４は、タブ板部１０１の透孔２２よりも後方に延びる部分であり、指掛け孔４１が設けられている。この指掛け孔４１は、タブ中心線Ｎに対して直交する前孔辺部４１ｃと後孔辺部４１ｄが直線状で、タブ１の後端辺部１ｄと平行に延び、この前後孔辺部４１ｃ，４１ｄの左右両端部を連結する左右孔辺部４１ａ，４１ｂが円弧状に成形され、把持部４全体として指掛け孔４１を取り囲むリング状を呈してる。この指掛け孔４１の周縁にも、裏面側に折り返されたカール部４２が全周的に設けられ、高剛性化が図られている。
【００１４】
把持部４の後端部は後端辺部１ｄから左右の円弧状部１ｅ，１ｅも含まれるが、この実施の形態では、直線状の後端辺部１ｄと指掛け孔４１の後孔辺部１ｄの間の幅狭部分が指掛かり部５となっている。この指掛かり部５の裏面側には、タブ１の後端辺部１ｄに沿って設けられたカール部１０２と、指掛け孔４１の後孔辺部４１ｄに沿って設けられたカール部４２が存在し、これらカール部１０２，４２の下面が指掛かり部裏面５Ａを構成する。カール部１０２とカール部４２の間は隙間５１があってもよいし、密接していてもよい。
【００１５】
指掛かり部５については、タブ板部１０１上面に対して平行に所定寸法だけ高くなったチップアップ構造となっている。図示例では、指掛かり部５の左右両端の屈曲部５２，５２を介して指掛かり部５が上方に突出する構成となっている。チップアップ加工の際に、指掛かり部裏面５Ａのカール部１０２およびカール部４２下面は圧縮されて平坦面となっている。チップアップ構造は、タブ板部１０１上面に対して、前端より後端を高くした前後方向に傾斜する構造としてもよい。
一方、蓋体１０のパネル部１４側には、指掛かり部５の後端直下から周縁の環状溝１５の間に所定深さのくぼみ部１９が設けられ、指掛かり部５を高くした構成と相まってより指が掛かりやすい構造となっている。
【００１６】
指掛かり部裏面５Ａを構成するカール部１０２，４２の下面には、滑り止め用凹凸部としての滑り止め用スコア６が形成されている。
滑り止め用スコア６のパターンは、カール部１０２およびカール部４２に跨ってタブ中心線Ｎに対して互いに反対側に傾斜する直線状の第１スコア６１、第２スコア６２を複数本刻設した構成で、図示例ではカール部１０２，４２の隙間５１位置にて第１スコア６１と第２スコア６２が交差し、カール部１０２とカール部４２裏面にＶ字形状のスコアパターンが構成されている。スコアの深さはタブに用いられる板材の厚みに依存し、例えば板材としてアルミニウム板を用いた場合、板厚に対し１０〜７０％程度、好適には２０〜５０％程度、より好適には２５〜３５％程度の深さで刻設される。
【００１７】
スコアパターンとしては、第１，第２スコア６１，６２の一方のみでもよいし、直線状ではなく曲線状としてもよく、滑り止め機能を果たす種々の形状パターンを採用可能である。また、滑り止め用スコア６を、前後のカール部４２，１０２の両方に設けずに、後側のカール部１０２のみに設けてもよい。さらに、滑り止め用凹凸部としてはスコア構造に限定されるものではなく、滑り止めとなる凹凸形状であれば、その形状，構造は限定されない。
【００１８】
図２には、このスコア加工する金型構造を模式的に示している。
すなわち、指掛かり部５をチップアップ構造に成形する金型として、スコア形成用の刃部２１１が形成されたダイ２１０と、ダイ２１０上のタブの指掛かり部５を圧縮するパンチ２２０とを有し、指掛かり部５をチップアップ成形すると同時に、ダイ２１０に設けられた刃部２１１によって指掛かり部５の裏面５Ａに滑り止め用スコア６を刻設するようになっている。
滑り止め用スコア６の加工は、チップアップ成形後に加工してもよいし、チップアップ成形前に加工してもよい。また、タブ１のカール部成形前の素材の段階で加工しておいてもよい。
【００１９】
上記構成の開口容易缶蓋のタブにあっては、指掛かり部裏面５Ａに滑り止め用スコア６を設けたので、開口時にタブ１を持ち上げる際に、結露によって水滴が付着しているような場合でも、指が指掛かり部裏面５Ａの滑り止め用スコア６に引っ掛かり、指滑りを抑制することができ、容易にタブ１を持ち上げて開口することができる。
特に、指掛かり部５は部分的に高くしたチップアップ構造となっているので、滑り止め用スコア６の構成と相俟って指掛かり性がより一層向上する。
なお、この実施例では指掛かり部を部分的に高くしたチップアップ構造のタブを例にとって説明したが、指掛かり部を高くしていないタイプのタブについても同様に適用可能である。
【図面の簡単な説明】
【００２０】
【図１】図１は本発明の実施の形態に係るタブが固定された開口容易缶蓋を示すもので、同図（Ａ）は開口前の状態の平面図、同図（Ｂ）は同図（Ａ）のタブの部分拡大裏面図、同図（Ｃ）は指掛かり部の概略拡大断面図である。
【図２】図２は図１のタブの指掛かり部に滑り止め用スコアを加工する金型構造例を示す概略断面図である。
【符号の説明】
【００２１】
１  タブ
１０１  タブ板部
１０２  カール部
１ａ，１ｂ  左右側辺部
１ｃ    前端辺部
１ｄ    後端辺部
２  固定部
２１  くぼみ面
２２  透孔
３  タブ先端部
４  把持部
４１  指掛け孔
４１ａ，４１ｂ  左右孔辺部
４１ｃ  前孔辺部
４１ｄ  後孔辺部
４２  カール部
５  指掛かり部
５Ａ  指掛かり部裏面
５１  隙間
５２  屈曲部
６  滑り止め用スコア （滑り止め用凹凸部）
６１  第１スコア、６２  第２スコア
１０  蓋体
１１  スコア
１２  開口予定部
１３  リベット部
１４  パネル部
１５  環状溝
１６  チャックウォール部
１７  巻締めカール部
１８  段差
１９  くぼみ部
１００  開口容易缶蓋
２１０  ダイ
２１１  刃部
２２０  パンチ
【図１】
2007126157.tif 000003
【図２】
2007126157.tif 000004